(57)【要約】【課題】媒体と接触して回転する走査位置検出用ローラを有する情報読取装置において、読取開始前の装置の位置、角度の微調整を媒体上でスライド移動して簡単に行う事ができ、更にボタン押しによる読取開始終了指示を排した情報読取装置を提供する。【解決手段】ローラと媒体との接触を抑止するローラ離間手段を有すると共に、媒体方向に、ある荷重以上の押付負荷時にローラが媒体と接触する。また、その押付負荷及び負荷解除にて読取開始終了指示を行う。【選択図】        図１
2004173163.tif 000002
【特許請求の範囲】
【請求項１】
手動操作により読取対象となる媒体上の情報を光学的に読み取る情報読取装置において、前記媒体から情報を読み取る読取手段と、前記媒体に接して走査方向に回転するローラと、前記ローラの回転に応じて前記媒体上の走査方向の位置を検知して位置信号を出力する位置検出手段と、前記ローラと媒体との接触を抑止するローラ離間手段とを有し、前記読取手段を媒体方向へある荷重以上の押付負荷で押付けた時に、前記ローラが媒体に接触することを特徴とする情報読取装置。
【請求項２】
前記押付負荷の解除により前記ローラが媒体から離間する復帰手段を有することを特徴とする請求項１記載の画像読取装置。
【請求項３】
前記ローラ離間手段は、前記ローラの配置面に媒体と接して滑動する媒体接触部材を有し、該媒体接触部材が、前記ローラの媒体との接触部分より媒体側に突出した突出位置と、前記ローラの媒体との接触部分と同平面の位置との間を移動、回動又は曲動可能に支持されると共に、媒体方向へのある一定荷重以上の押付負荷時に、前記移動、回動又は曲動が開始することを特徴とする請求項１又は２に記載の情報読取装置。
【請求項４】
前記ローラ離間手段は、前記ローラの配置面に媒体と接して回転する媒体接触部材を有し、前記ローラの媒体接触部分より媒体側に突出した突出位置と、前記ローラの媒体との接触部分と同平面の位置との間を移動可能に支持されると共に、媒体方向へある一定荷重以上の押付負荷時に、前記移動が開始することを特徴とする請求項１又は２に記載の情報読取装置。
【請求項５】
前記ローラ離間手段は、弾性部材を有し、該弾性部材は前記の媒体方向へある一定荷重以上の押付負荷時に付勢されることを特徴とする請求項１乃至４のいずれか１項に記載の情報読取装置。
【請求項６】
前記復帰手段は付勢された前記弾性部材の反力によることを特徴とする請求項５に記載の情報読取装置。
【請求項７】
前記接触部材の移動、回動又は曲動を検知する接触部材動作検知手段と、前記接触部材動作検知手段の結果に基づき前記読取手段の読み取りの開始又は終了を行う読取ＯＮ／ＯＦＦ手段を有する事を特徴とする請求項３乃至６のいずれか１項に記載の情報読取装置。
【発明の詳細な説明】
【０００１】
【発明の属する技術分野】
本発明は、手動操作により媒体上を走査してバーコード、文字又は画像等の媒体情報を読み取る情報読取装置に関する。
【０００２】
【従来の技術】
従来、手動操作によって媒体上を走査して媒体情報を読み取る情報読取装置においては、媒体に接して走査方向に回転するローラの回転から、装置が内蔵する読取手段の媒体に対する走査位置を逐次検出し、検出された走査位置に基づいた情報を読み取っている。
【０００３】
その走査位置の正しい検出の為には、ローラが媒体に接して回転する時に、媒体に対して滑り等なく正しく回転する必要があるので、ローラの材質に高摩擦性のゴム系の材料を採用するか、又はローラの外周面に摩擦を高める処理を施している。
【０００４】
その従来例の技術を、図を用いて更に詳しく説明する。
【０００５】
図１０は従来技術を有する情報読取装置の一例の透視斜視図、図１１は同装置の透視側面図を示す。それらの図において、２００は情報読取手段である、光学光源と読取センサを内蔵したセンサユニット、２は媒体３００と接して走査方向に回転するローラ、３はローラの回転をエンコーダ４に増速伝達するギア類、５はエンコーダ４のスリットを検出する位置検出センサで、その検出によりセンサユニット２００の媒体上の走査方向位置を検知し、その位置信号を出力している。
【０００６】
６はセンサユニット２００と検出センサ５からの信号を装置外部に配するパーソナルコンピュータ等の情報処理部への伝達、及びセンサユニット２００と検出センサ５への電源を供給配授する、フレキシブル基板、５００は読取開始、終了を指示する操作ボタンを示す。
【０００７】
尚、図１１においては内部構成の理解を深める為、フレキシブル基板６等を除外している。
【０００８】
図１１において、ローラ２と筐体１４０の下端部１４３が媒体３００に接している。また、他の従来例においては下端部１４３近傍に媒体３００と接して走査方向に回転する補助ローラを設け、同補助ローラとローラ２が媒体３００に接している例もある。
【０００９】
それらの媒体３００に対する接触により、センサユニット２００内の読取センサの読取焦点距離を媒体に一致させつつ、走査を行う。
【００１０】
操作者は情報読取装置を媒体３００上の読取対象に対して適正位置、適正角度に配置し、図１１における右又は左方向に手動走査し、その走査によるローラ２の回転から走査位置を逐次検出しつつ、読取を行う。
【００１１】
図１２は手動操作による走査方法を詳しく説明する為の、上方からの部分透視図である。まず、操作者は情報読取装置、すなわち筐体１４０を持つ。そして図に示すように、媒体上の読取対象４００がセンサユニット２００内の読取センサが有する読取部２０１の読取幅２０１Ａの内側に入り、かつ走査間に読取対象４００が読取幅２０１Ａから外れないように走査位置及び角度を設定してから、筐体１４０を媒体上に設置してローラ２を接地させる。その後、操作ボタン５００を押して読取開始を指示後、図面矢印方向に情報読取装置を移動させ、ローラ２を回転させながら走査を開始する。
【００１２】
【発明が解決しようとする課題】
ところが、実際には一回の設置で、図１２に示すような適正位置、適正角度に配置することは非常に困難で、どうしても図１３のように読取対象４００に対し上下方向、又は左右方向に配置位置がずれてしまったり、また、図１４のように読取対象４００に対して斜めに配置してしまうことが多い。
【００１３】
その場合、操作者は筐体１４０、すなわち読取部２０１の配置を適正にする為の位置微調整を試みる。本来はすでに媒体上に設置されている情報読取装置を再度持上げることなく、媒体上をスライドして位置又は角度を調整する方法が、最も微調整をしやすい方法であるが、媒体に接触しているローラ２の外周面が高摩擦性の為、ローラ２の回転方向、すなわち図１３の左右方向、に位置を微調整することはローラ２が回転するので比較的簡単に調整移動可能であるが、ローラ２の回転軸方向へのスライド移動、すなわち図１３の配置から図１２の配置へのスライド移動、は非常に大きな力を必要とし、従来例の情報読取装置では不可能である。
【００１４】
また、配置角度の調整スライド移動、すなわち図１４の配置から図１２の配置への角度調整スライド移動も大きな力を必要とするので困難であり、また、たとえ角度の調整スライド移動ができたとしても、その調整時に情報読取装置の位置が上下又は左右にずれてしまうことが多い。
【００１５】
その為、図１３又は図１４に示す位置又は角度に配置された場合は、操作者は情報読取装置をもう一度持上げ、適性位置、適正角度へ再配置を試みる必要があり、場合によっては、数度にわたる再配置を要する場合もあった。
【００１６】
また、通常、情報読取装置の位置配置動作中は、その動作中で操作ボタン５００を押す誤操作を避ける為、装置を保持する操作者の全ての指は筐体１４０の任意の外周部を掴んでいる。情報読取装置を適正位置、適正角度に配置後、走査開始前に任意の指を操作ボタン５００上に移動させ、同ボタンを押して読取開始を指示するが、そのボタン押し動作時に、情報読取装置の位置、角度が変位しないようにしっかりと押えていた他の指に緩みが発生し、適正位置、適正角度からずれてしまうことも多くあり、結果として所望の情報を正しく読み取ることが出来ないという問題も抱えていた。
【００１７】
更に従来の情報読取装置においては、手動読取終了後、操作ボタン５００を再度押して読取の終了を指示する必要があり、スムースな読取操作を損なう要因の一つとなっている。
【００１８】
本発明は上述した問題点、すなわち、媒体上に設置された情報読取装置の位置又は角度の微調整時には装置を再度又は数度持上げての再配置が必要であること、及び、操作開始指示ボタンへのボタン押し動作時に発生する、装置を保持する指の緩みに派生する装置配置位置又は角度のズレ、そして、読取操作終了後のボタン押しによる終了指示操作の必要性を解決し、最も微調整しやすい方法である媒体上をスライドしての位置又は角度調整を可能とすると共に、ボタン押しによる読取開始、終了指示を排し、装置を保持する全て指を置き換える必要のない読取開始、終了指示方法を提案することを目的とする。
【００１９】
【課題を解決するための手段】
上記目的を達成する為に、本発明は、手動操作により読取対象となる媒体上の情報を光学的に読み取る情報読取装置において、前記媒体から情報を読み取る読取手段と、前記媒体に接して走査方向に回転するローラと、前記ローラの回転に応じて前記媒体上の走査方向の位置を検知して位置信号を出力する位置検出手段と、前記ローラと媒体との接触を抑止するローラ離間手段とを有し、前記読取手段を媒体方向へある荷重以上の押付負荷で押付けた時に、前記ローラが媒体に接触することを特徴とする。
【００２０】
また。本発明は、前記押付負荷の解除により前記ローラが媒体から離間する復帰手段を有することを特徴とする。
【００２１】
また、本発明は、前記ローラ離間手段は、前記ローラの配置面に媒体と接して滑動する媒体接触部材を有し、該媒体接触部材が、前記ローラの媒体との接触部分より媒体側に突出した突出位置と、前記ローラの媒体との接触部分と同平面の位置との間を移動、回動又は曲動可能に支持されると共に、媒体方向へのある一定荷重以上の押付負荷時に、前記移動、回動又は曲動が開始することを特徴とする。
【００２２】
また、本発明は、前記ローラ離間手段は、前記ローラの配置面に媒体と接して回転する媒体接触部材を有し、前記ローラの媒体接触部分より媒体側に突出した突出位置と、前記ローラの媒体との接触部分と同平面の位置との間を移動可能に支持されると共に、媒体方向へある一定荷重以上の押付負荷時に、前記移動が開始することを特徴とする。
【００２３】
また、本発明は、前記ローラ離間手段は、弾性部材を有し、該弾性部材は前記の媒体方向へある一定荷重以上の押付負荷時に付勢されることを特徴とする。
また、本発明は、前記復帰手段は付勢された前記弾性部材の反力によることを特徴とする。
【００２４】
また、本発明は、前記接触部材の移動、回動又は曲動を検知する接触部材動作検知手段と、前記接触部材動作検知手段の結果に基づき前記読取手段の読み取りの開始又は終了を行う読取ＯＮ／ＯＦＦ手段を有する事を特徴とする。
【００２５】
【発明の実施の形態】
以下、本発明の実施の形態を図面に基づいて詳細に説明する。
【００２６】
［第１の実施の形態］
図１乃至図３は本発明の第１の実施の形態に係る情報読取装置を説明する為の図であり、図１は本発明の特徴を有する情報読取装置の透視斜視図、図２は媒体上に設置された同装置の位置又は角度を読取操作開始前に微調整する為、同装置を媒体上でスライド移動時の透視側面図である。
【００２７】
図１及び図２において、２００は情報読取手段である、光学光源と読取センサを内蔵したセンサユニット、２は媒体３００と接して走査方向に回転するローラ、３はローラ２の回転をエンコーダ４に増速伝達するギア類、５は回転するエンコーダ４のスリットを検出する位置検出センサで、本発明の特徴の一つである、ローラ２の回転に応じて媒体上の走査方向の位置を検知して位置信号を出力する位置検出手段である。
【００２８】
７０及び７１は媒体接触部材で、下端部７０ａと７１ａをローラ２より媒体３００側に突出させると共に、下端部７０ａと７１ａの上部を筐体１００の支持部１０１ａと１０２ａで、そして上端部７０ｂと７１ｂを支持部１０１ｂと１０２ｂで支持し、図２の上側方向に可動に支持されている。
【００２９】
８ａ及び８ｂは弾性部材で、各々、媒体接触部材７０及び７１が有する肩部７０ｃ及び７１ｃと、支持部１０１ｂ及び１０２ｂの間に配置され、媒体接触部材７０と７１を媒体３００側に付勢している。
【００３０】
尚、肩部７０ｃと７１ｃの下面は支持部１０１ａ及び１０１ｂの上面部に当接し、媒体接触部材７０と７１の媒体３００側への突出量を規定している。
９は接触端子９ａ及び９ｂを媒体接触部材７０の上端部７０ｂの上側に配置した、読取開始終了指示センサで、筐体１００に保持されている。
【００３１】
また、６はセンサユニット２００、位置検出センサ５及び、読取開始終了指示センサ９からの信号を装置外部に配するパーソナルコンピュータ等の情報処理部への伝達、及びセンサユニット２００等への電源を供給配授するフレキシブル基板であり、１０はセンサユニット２００やローラ２等を支持するフレームで、筐体１００に保持されている。１１は位置検出センサ５を半田付け固定した基盤、である。
【００３２】
尚、図２においては内部構成の理解を深める為、フレキシブル基板６、ギア類３等の部品及びエンコーダ４等の位置検出手段を除外している。
【００３３】
上記構成を基に、図２を用いて本発明の特徴を続けて説明する。図２は前述したように、情報読取装置を媒体３００上に設置した状態を示し、媒体接触部材７０及び７１の先端部７０ａ及び７１ａと、筐体１００の下端部１０３が媒体３００に接し、ローラ２は媒体３００から離間しており、本発明の特徴の一つである、ローラ２と媒体３００との接触を抑止するローラ離間手段を示している。
【００３４】
すなわち、そのローラ離間手段により、操作者は情報読取装置の筐体１００を掴み、媒体３００上に乗せた後、任意の位置又は角度に、媒体３００上を下端部１０３と媒体接触部材７０及び７１を滑らせながら、スムースにスライド移動して微調整することができる。
【００３５】
尚、本図においては、媒体接触部材７１とその先端部７１ａ及び弾性部材８ｂはちょうど７０と７０ｂ及び８ａの背面部に位置するが、混乱を避ける為、符号を記載していない。
【００３６】
更に、位置又は角度の微調整終了後、操作者は筐体１００を媒体３００側へ徐々に押付けると、ある一定荷重以上の押付負荷時から弾性部材８ａと８ｂが撓み始めて付勢されると同時に、筐体１００及びそれに保持されたセンサユニット２００等が図面下側に移動し、更にある荷重以上の押付負荷で押付けた時に、ローラ２が媒体３００と接触し、図３の状態となる。
【００３７】
すなわち、媒体接触部材７０及び７１が、ローラ２の媒体３００との接触部分より媒体側に突出した突出位置と、ローラ２の媒体３００との接触部分と同平面の位置との間を移動可能に支持されると共に、媒体３００方向へのある一定荷重以上の押付負荷時に、前記移動が開始し、ローラ２が媒体３００と接触する。
【００３８】
そのローラ２の媒体３００との接触方法、すなわち、ある荷重以上の押付負荷で押付けた時に接触することが、本発明の最大の特徴である。
【００３９】
図３に示す状態においては、媒体接触部材７０の先端部７０ａ及び７１の先端部７１ａ、そしてローラ２と筐体１００の下端部１０３が、媒体３００と接している。
【００４０】
その状態を保持しつつ、例えば図面右方向に装置を走査させることにより、先端部７０ａと７１ａを媒体３００に接触させながら滑動し、ローラ２と下端部１０３の媒体３００への接触により、センサユニット２００内の読取センサの読取焦点距離を媒体に一致させる距離に保持しながら、そしてローラ２の回転から走査位置を逐次検出しながら、読取を行うことができる。
【００４１】
以上、図１乃至３を用いて説明した本発明の第１の実施の形態により、情報読取装置の位置又は角度を最も微調整しやすい方法である、媒体上をスライド移動する調整方法を可能とした情報読取装置を提供できる。
【００４２】
また、図２から図３の状態へ移動中に、媒体接触部材７０の上端部７０ｂが読取開始終了指示センサ９の接触端子９ａを押付けて９ｂに接触させ、媒体接触部材７０の筐体１００に対する移動を検知している。この検知方法が本発明の特徴の一つである、接触部材動作検知手段を示している。同手段により、図２から図３の状態へ移動中、望ましくはローラ２が媒体３００に接触する直前に、媒体接触部材７０の動作を検知し、かつその結果に基づき、読取開始を行う。
【００４３】
この読取開始方法が、本発明の特徴の一つである、読取ＯＮ／ＯＦＦ手段の一手段を示している。
【００４４】
また、図３の状態においては、弾性部材８ａと８ｂは付勢された状態になっている。読取走査終了後、筐体への押付け負荷を解除すると、付勢された弾性部材８ａと８ｂの反力により、筐体１００が下端部１０３を支点として、媒体接触部材７０と７１を突出させつつ持ち上がり、ローラ２が媒体３００から離間する。
【００４５】
このローラ２の媒体からの離間が本発明の特徴の一つである、復帰手段であり、同手段により図３から図２の状態に復帰する。
【００４６】
その図３から図２への復帰中に、接触部材７０が筐体１００に対して移動し、上端部７０ｂで押付けられて接触していた接触端子９ａと９ｂの離間を促し、読取終了を行う。
【００４７】
この読取終了方法が、本発明の特徴の一つである、読取ＯＮ／ＯＦＦ手段の他の一手段を示している。
【００４８】
この読取ＯＮ／ＯＦＦ手段により、ボタン押しによる読取開始、終了指示を必要とせず、かつ、装置を保持する全て指を置き換える必要のない、スムースな読取操作を可能とする。
【００４９】
［第２の実施の形態］
図４及び図５は本発明の第２の実施の形態に係る情報読取装置を説明する為の図で、同形態においては、第１の実施の形態では上下方向に移動運動した媒体接触部材を、回動運動させた実施の形態を説明する。
【００５０】
図４は媒体上に設置された同装置の位置又は角度を読取操作開始前に微調整する為、同装置を媒体上でスライド移動時の透視側面図、図５は同装置の位置又は角度調整終了後、読取開始中の透視側面図である。
【００５１】
尚、図４及び図５においても、内部構成の理解を深める為、フレキシブル基板、ギア類等の部品及びエンコーダ等の位置検出手段を除外している。
【００５２】
図４において、７２は第２の実施の形態の媒体接触部材で、略Ｖ字状を成し、Ｖ字折り返り部７２Ａを中心に回動可能に筐体１１０に支持させ、Ｖ字の一端部７２ａをローラ２より突出させて媒体３００に接触させ、他端部７２ｂを移動部材７３の下端に接触させている。また、筐体１１０の下端部１１３も媒体３００に接触している。
【００５３】
移動部材７３は媒体接触部材７２の上側に配置され、かつ上下方向移動可能に筐体１１０に支持されている。また、移動部材７３の下端部と筐体支持部１１１ｂとの間に配置された弾性部材８ａは移動部材７３を付勢し、移動部材７３は更に媒体接触部材７２を媒体３００方向に付勢している。その媒体接触部材７２は筐体１１０の突起１１２にてローラ２からの突出量を規定されている。
【００５４】
また、筐体１００は、接触端子９ａ及び９ｂを移動部材７３の上端部に配置した読取開始終了指示センサ９を保持している。
【００５５】
尚、同実施の形態においては、第１の実施の形態と同様に、媒体接触部材７２の図面背面部のローラ２を挟んだ位置に、もう一つの同形状、同構成の媒体接触部材と移動部材及び弾性部材８ｂを有するが、混乱を避ける為、符号を記載していない。
【００５６】
上記構成において、第１の実施の形態と同様に、本実施の形態の装置もローラ２と媒体３００との接触を抑止するローラ離間手段を有し、図４の状態にて、装置の位置又は角度を媒体３００上で微調整可能である。
【００５７】
更に、その後装置を媒体３００方向へ押付けることにより、ある一定荷重以上の押付負荷時から、媒体接触部材７２はＶ字折り返り部７２Ａを中心として回動して一端部７２ａを上方向に移動させ、移動部材７３の上側への移動を促す。更にある荷重以上の押付負荷で押付けた時に、ローラ２が媒体３００と接触し、図５の状態となる。
【００５８】
尚、移動部材７３の上側への移動に伴って読取開始終了指示センサ９の接触端子９ａと９ｂを接触させて媒体接触部材７２の回動を検知する接触部材動作検知手段、そして読取ＯＮ／ＯＦＦ手段は、第１の実施の形態と同様である為、詳細の説明を省く。
【００５９】
また、弾性部材８ａの構成も第１の実施の形態と同様であるので、押付負荷を解除してローラ２を媒体３００から離間させる、復帰手段を第１の実施の形態と同様に説明することができる為、以下の詳細説明を省く。
【００６０】
［第３の実施の形態］
図６及び図７は本発明の第３の実施の形態に係る情報読取装置を説明する為の図で、同形態においては、第１の実施の形態では上下方向に移動運動、そして第２の実施の形態では回動運動した媒体接触部材を、曲動運動させた実施の形態を説明する。
【００６１】
図６は媒体上に設置された同装置の位置又は角度を読取操作開始前に微調整する為、同装置を媒体上でスライド移動時の透視側面図、図７は同装置の位置又は角度調整終了後、読取開始中の透視側面図である。
【００６２】
尚、図６及び図７においても、内部構成の理解を深める為、フレキシブル基板、ギア類等の部品及びエンコーダ等の位置検出手段を除外している。
【００６３】
図６において、７４は第３の実施の形態の媒体接触部材で、曲動かつ形状復帰可能な弾性体である。その上端部を筐体１２０に固定保持し、下端部７４ａをローラ２より突出させて媒体３００に接触させている。また、筐体１２０の下端部１２３も媒体３００と接触している。
【００６４】
尚、同実施の形態においても、第１の実施の形態と同様に、媒体接触部材７４の図面背面部のローラ２を挟んだ位置に、もう一つの同形状、同構成の媒体接触部材と移動部材及び弾性部材８ｂを有するが、混乱を避ける為、符号を記載していない。
【００６５】
これらの構成により、本実施の形態においても、ローラ２と媒体３００との接触を抑止するローラ離間手段を有し、図６の状態にて、装置の位置又は角度を媒体３００上で微調整可能である。
【００６６】
また、図６の状態から筐体を押付けることにより、ある一定荷重以上の押付負荷時から、媒体接触部材７４の突出部が、図面左側に曲がりだす。曲がりだした媒体接触部材７４の先端部はその近傍に配置された移動部材７５の下端部に接触し、移動部材７５の上側への移動を促す。更にある荷重以上の押付負荷で押付けた時に、ローラ２が媒体３００と接触し、図７の状態となる。
【００６７】
以降、移動部材７５は第２の実施の形態の移動部材７３と同じ働きを成し、また弾性部材８ａの構成も第１の実施の形態と同様であるので、接触部材動作検知手段、読取ＯＮ／ＯＦＦ手段及び復帰手段を、第１の実施の形態と同様に説明することができる為、以下の詳細説明を省く。
【００６８】
［第４の実施の形態］
図８及び図９は本発明の第４の実施の形態に係る情報読取装置を説明する為の図で、同形態においては、媒体と接して回転する媒体接触部材の実施の形態を説明する。
【００６９】
図８は媒体上に設置された同装置の位置又は角度を読取操作開始前に微調整する為、同装置を媒体上でスライド移動時の透視側面図、図９は同装置の位置又は角度調整終了後、読取開始中の透視側面図であり、それらの図においても、内部構成の理解を深める為、フレキシブル基板、ギア類等の部品及びエンコーダ等の位置検出手段を除外している。
【００７０】
図８において、７６は本実施の形態における媒体接触部材で、球形状を成し、部材７８に回転可能に支持されている。部材７８は媒体３００側に開口を設け、その開口部から媒体接触部材７６を媒体３００側に突出させると共に、外周部を筐体１３０に対し上下方向可動に支持されている。
【００７１】
媒体接触部材７８の上面側には、下端部を伏せた皿形状７７ａで媒体接触部材７６の上面を支持し、上端部７７ｂを読取開始終了指示センサ９の接触端子９ａ、９ｂの下方に配する、移動部材７７を有している。また、弾性部材８ａは筐体１３０の上部支持部１３１ｂと皿形状７７ａ間に配置されている。
【００７２】
尚、本実施の形態においては、ローラ２を媒体接触部材７６の図面背面側に配置している。
【００７３】
また、同実施の形態においても、第１の実施の形態と同様に、媒体接触部材７６の図面背面部のローラ２を挟んだ位置に、もう一つの同形状、同構成の媒体接触部材と移動部材及び弾性部材８ｂを有するが、混乱を避ける為、符号を記載していない。
【００７４】
上記構成において、媒体接触部材７６の下面部はローラ２より媒体３００側に突出して媒体３００と接しており、また、筐体１３０の下端部１３３も媒体３００と接している。つまり、本実施の形態においても、ローラ２と媒体３００との接触を抑止するローラ離間手段を有し、図８の状態にて、装置の位置又は角度を、媒体３００上で媒体接触部材７６を回転させながら、微調整可能である。
【００７５】
また、位置又は角度の微調整終了後、操作者は筐体１３０を媒体３００側へ徐々に押付けると、ある一定荷重以上の押付負荷時から弾性部材８ａが撓み始めて付勢されると同時に、筐体１３０及びそれに保持されたセンサユニット２００等が図面下側に移動する。媒体接触部材７６は部材７８と共に筐体１３０に対して上側に移動し、同時に移動部材７７の上側への移動を促す。更にある荷重以上の押付負荷で押付けた時に、ローラ２が媒体３００と接触し、図９の状態となる。
【００７６】
以降、移動部材７７は第２の実施の形態の移動部材７３と同じ働きを成し、また弾性部材８ａの構成も第１の実施の形態と同様であるので、接触部材動作検知手段、読取ＯＮ／ＯＦＦ手段及び復帰手段を、第１の実施の形態と同様に説明することができる為、以下の詳細説明を省く。
【００７７】
【発明の効果】
以上説明したように、本発明によれば、媒体上に設置された情報読取装置の位置又は角度の微調整時に、最も微調整しやすい方法である媒体上をスライドしての位置又は角度調整を可能とすると共に、ボタン押しによる読取開始、終了指示を排し、装置を保持する全て指を置き換える必要のない情報読取装置を提供できる。
【００７８】
尚、今までの説明は媒体上のスライド移動と操作ボタン押し排除の両方を満足した装置の実施の形態を例に上げて説明してきたが、本発明の請求項１によれば、媒体上をスライド移動する操作ボタン付きの装置も可能であることは、言うまでもない。
【図面の簡単な説明】
【図１】第１の実施の形態に係る情報読取装置の透視斜視図である。
【図２】第１の実施の形態に係る情報読取装置の、媒体上に設置された同装置の位置又は角度を読取操作開始前に微調整する為、同装置を媒体上でスライド移動時の透視側面図である。
【図３】第１の実施の形態に係る情報読取装置の、位置又は角度調整終了後、読取開始中の透視側面図である。
【図４】第２の実施の形態に係る情報読取装置の、媒体上に設置された同装置の位置又は角度を読取操作開始前に微調整する為、同装置を媒体上でスライド移動時の透視側面図である。
【図５】第２の実施の形態に係る情報読取装置の、位置又は角度調整終了後、読取開始中の透視側面図である。
【図６】第３の実施の形態に係る情報読取装置の、媒体上に設置された同装置の位置又は角度を読取操作開始前に微調整する為、同装置を媒体上でスライド移動時の透視側面図である。
【図７】第１の実施の形態に係る情報読取装置の、位置又は角度調整終了後、読取開始中の透視側面図である。
【図８】第３の実施の形態に係る情報読取装置の、媒体上に設置された同装置の位置又は角度を読取操作開始前に微調整する為、同装置を媒体上でスライド移動時の透視側面図である。
【図９】第３の実施の形態に係る情報読取装置の、位置又は角度調整終了後、読取開始中の透視側面図である。
【図１０】従来技術を有する情報読取装の透視斜視図である。
【図１１】従来技術を有する情報読取装置の透視側面図である。
【図１２】手動操作による走査方法を詳しく説明する為の、上方からの部分透視図である。
【図１３】情報読取装置の配置が読取対象に対して上側に外れた状態を説明する図である。
【図１４】情報読取装置の配置角度が読取対象に対して斜めに外れた状態を説明する図である。
【符号の説明】
２  ローラ
８ａ、８ｂ  弾性部材
９  読取開始終了指示センサ
９ａ、９ｂ  接触端子
７０、７１、７２、７４、７６  媒体接触部材
７３、７５、７７  移動部材
１００、１１０、１２０、１３０  筐体
３００  媒体
２００  センサユニット
【図１】
2004173163.tif 000003
【図２】
2004173163.tif 000004
【図３】
2004173163.tif 000005
【図４】
2004173163.tif 000006
【図５】
2004173163.tif 000007
【図６】
2004173163.tif 000008
【図７】
2004173163.tif 000009
【図８】
2004173163.tif 000010
【図９】
2004173163.tif 000011
【図１０】
2004173163.tif 000012
【図１１】
2004173163.tif 000013
【図１２】
2004173163.tif 000014
【図１３】
2004173163.tif 000015
【図１４】
2004173163.tif 000016